(57)【要約】【課題】分離型ＰＣの輝度調整に関するユーザの利便性を向上させることを課題とする。【解決手段】本体部は、オペレーティングシステムによって提供される標準アプリケーションを用いた、情報を表示するディスプレイ部への第１の輝度調整に関する操作を検出する。本体部は、第１の輝度調整に関する操作が検出された場合、標準アプリケーションを用いる第１の輝度調整に対応しておらず、専用アプリケーションを用いる第２の輝度調整に対応するディスプレイ部に、第１の輝度調整の操作によって調整された輝度情報を、第２の輝度調整による輝度情報として送信する。【選択図】図２
2018067061.tif 000002
【特許請求の範囲】
【請求項１】
オペレーティングシステムによって提供される標準アプリケーションを用いた、情報を表示するディスプレイ装置への第１の輝度調整に関する操作を検出する検出部と、
前記検出部によって前記第１の輝度調整に関する操作が検出された場合、前記標準アプリケーションを用いる前記第１の輝度調整に対応しておらず、専用アプリケーションを用いる第２の輝度調整に対応する前記ディスプレイ装置に、前記第１の輝度調整の操作によって調整された輝度情報を、前記第２の輝度調整による輝度情報として送信する送信部と
を有することを特徴とする情報処理装置。
【請求項２】
前記検出部は、前記標準アプリケーションから前記第１の輝度調整に関する操作によって調整された前記輝度情報を受信した場合、前記標準アプリケーションを用いて設定された前記輝度情報を取得し、受信された前記輝度情報と取得された前記輝度情報とが一致するか否かを判定し、
前記送信部は、受信された前記輝度情報と取得された前記輝度情報とが一致すると判定された場合に、受信された前記輝度情報を、前記第２の輝度調整による輝度情報として送信することを特徴とする請求項１に記載の情報処理装置。
【請求項３】
前記ディスプレイ装置から、前記第２の輝度調整によって変更された変更後の輝度情報を受信した場合、前記変更後の輝度情報を、前記第１の輝度調整による輝度情報として前記標準アプリケーションに通知する通知部をさらに有することを特徴とする請求項１または２に記載の情報処理装置。
【請求項４】
コンピュータが、
オペレーティングシステムによって提供される標準アプリケーションを用いた、情報を表示するディスプレイ装置への第１の輝度調整に関する操作を検出し、
前記第１の輝度調整に関する操作が検出された場合、前記標準アプリケーションを用いる前記第１の輝度調整に対応しておらず、専用アプリケーションを用いる第２の輝度調整に対応する前記ディスプレイ装置に、前記第１の輝度調整の操作によって調整された輝度情報を、前記第２の輝度調整による輝度情報として送信する
処理を実行することを特徴とする輝度調整方法。
【請求項５】
コンピュータに、
オペレーティングシステムによって提供される標準アプリケーションを用いた、情報を表示するディスプレイ装置への第１の輝度調整に関する操作を検出し、
前記第１の輝度調整に関する操作が検出された場合、前記標準アプリケーションを用いる前記第１の輝度調整に対応しておらず、専用アプリケーションを用いる第２の輝度調整に対応する前記ディスプレイ装置に、前記第１の輝度調整の操作によって調整された輝度情報を、前記第２の輝度調整による輝度情報として送信する
処理を実行させることを特徴とする輝度調整プログラム。
【請求項６】
映像信号を出力する本体装置と、前記本体装置から出力される前記映像信号にしたがって映像を表示するディスプレイ装置とを有する情報処理装置において、
前記ディスプレイ装置は、
前記ディスプレイ装置の輝度情報の設定変更を受け付ける受付部と、
受け付けられた前記設定変更にしたがって、前記ディスプレイ装置の輝度情報を変更する変更部と、
前記変更部によって変更された輝度情報を、オペレーティングシステムによって提供される標準アプリケーションとは異なる専用アプリケーションを用いる輝度調整に関する情報として、前記本体装置に送信する送信部とを有し、
前記本体装置は、
前記ディスプレイ装置から受信した前記輝度情報を、前記オペレーティングシステムが輝度調整を行うために提供する前記標準アプリケーションに設定する設定部と
を有することを特徴とする情報処理装置。
【発明の詳細な説明】
【技術分野】
【０００１】
本発明は、情報処理装置、輝度調整方法および輝度調整プログラムに関する。
【背景技術】
【０００２】
従来から、パーソナルコンピュータ（以下ではＰＣと記載する場合がある）では、ディスプレイやＰＣ本体を操作して、ディスプレイの輝度調整が行われている。例えば、外部入力を持たない一体型のＰＣやノートＰＣでは、ＯＳ（Operating  System）に標準に搭載される輝度調整機能の標準アプリケーション（以下ではＯＳ標準アプリまたは標準アプリと記載する場合がある）を用いてディスプレイの輝度調整が行われる。
【０００３】
また、ディスプレイ側とＰＣ本体側が分かれているような、ＬＣＤ（Liquid  Crystal  Display）コントローラを有する分離型ＰＣでは、輝度情報を独立して処理するＬＣＤコントローラを用いて、輝度調整が行われる。例えば、ディスプレイ側がＬＣＤコントローラを有することから、ディスプレイ側のボタン操作などにより輝度調整を行う。また、ＰＣ本体側に専用アプリケーション（以下では専用アプリと記載する場合がある）をインストールし、この専用アプリケーションが提供するボタン操作などにより輝度調整を行う。
【先行技術文献】
【特許文献】
【０００４】
【特許文献１】特開平０５−１２７６３５号公報
【発明の概要】
【発明が解決しようとする課題】
【０００５】
しかしながら、上記ＬＣＤコントローラを有する分離型ＰＣでは、ＯＳの標準アプリケーションを用いた輝度調整を実行することができないので、ＩＴ（Information  Technology）スキルがユーザにとっては利便性が悪い。
【０００６】
例えば、分離型ＰＣでは、ＰＣ本体側で標準アプリケーションによる輝度調整操作を行ったとしても、ディスプレイ側の輝度調整を行うことができず、ＰＣ本体側で専用アプリケーションを起動した上で、輝度調整操作を行うことになる。しかし、ＩＴスキルの低いユーザは、専用アプリケーションの存在を知らないことが多い。このため、ＩＴスキルの低いユーザは、標準アプリケーションで輝度調整を試みて、輝度調整が実行できない場合、ＰＣ本体と離れた場所にあるディスプレイ側を直接操作して、輝度調整を行うことになる。
【０００７】
一つの側面では、分離型ＰＣの輝度調整に関するユーザの利便性を向上させることができる情報処理装置、輝度調整方法および輝度調整プログラムを提供することを目的とする。
【課題を解決するための手段】
【０００８】
第１の案では、情報処理装置は、オペレーティングシステムによって提供される標準アプリケーションを用いた、情報を表示するディスプレイ装置への第１の輝度調整に関する操作を検出する検出部を有する。情報処理装置は、前記検出部によって前記第１の輝度調整に関する操作が検出された場合、前記標準アプリケーションを用いる前記第１の輝度調整に対応しておらず、専用アプリケーションを用いる第２の輝度調整に対応する前記ディスプレイ装置に、前記第１の輝度調整の操作によって調整された輝度情報を、前記第２の輝度調整による輝度情報として送信する送信部を有する。
【発明の効果】
【０００９】
一実施形態によれば、分離型ＰＣの輝度調整に関するユーザの利便性を向上させることができる。
【図面の簡単な説明】
【００１０】
【図１】図１は、実施例１にかかる情報処理装置を説明する図である。
【図２】図２は、実施例１にかかる情報処理装置の機能構成を示す機能ブロック図である。
【図３】図３は、一般的なＰＣのＯＳ標準アプリを用いた輝度調整を説明する図である。
【図４】図４は、一般的なＰＣの専用アプリを用いた輝度調整を説明する図である。
【図５】図５は、実施例１の輝度調整を説明する図である。
【図６】図６は、実施例１にかかる本体部からの輝度調整の処理の流れを示すシーケンス図である。
【図７】図７は、実施例１にかかるディスプレイ部からの輝度調整の処理の流れを示すシーケンス図である。
【図８】図８は、情報処理装置のハードウェア構成例を示す図である。
【発明を実施するための形態】
【００１１】
以下に、本願の開示する情報処理装置、輝度調整方法および輝度調整プログラムの実施例を図面に基づいて詳細に説明する。なお、この実施例によりこの発明が限定されるものではない。
【実施例１】
【００１２】
［情報処理装置の説明］
図１は、実施例１にかかる情報処理装置を説明する図である。図１に示すように、情報処理装置１は、ディスプレイ部１０と本体部５０とが分離された分離型ＰＣの一例である。ディスプレイ部１０と本体部５０とは、ＵＳＢ（Universal  Serial  Bus）などの有線で接続されてもよく、無線で接続されてもよい。なお、ここでは、分離型ＰＣを例にして説明するが、これに限定されるものではなく、例えば後述するＬＣＤコントローラを有する一体型ＰＣであっても同様に処理することができる。
【００１３】
ディスプレイ部１０は、マイコン１０ｂとＬＣＤコントローラ１０ｃとディスプレイ１０ｄとを有する表示装置の一例であり、本体部５０から送信される映像信号を受信してディスプレイ１０ｄに表示する。このディスプレイ部１０は、ＯＳが提供するＡＰＩ（Application  Programming  Interface）に対応していないものとする。マイコン１０ｂは、ディスプレイ部１０全体を司る処理部である。ＬＣＤコントローラ１０ｃは、映像信号と輝度情報との切替を行って、ディスプレイ１０ｄへ送信する情報を切り替える。ディスプレイ１０ｄは、ＬＣＤやタッチパネルなどである。
【００１４】
本体部５０は、各種処理を実行するＰＣの本体機能を有し、ＯＳ標準アプリケーション６０と専用アプリケーション６１とを実行する。ＯＳ標準アプリケーション６０は、ＬＣＤコントローラ１０ｃに依存しない、ＯＳが提供するＡＰＩによって実現され、ＯＳが提供するディスプレイ１０ｄの輝度調整を行う標準機能である。専用アプリケーション６１は、ＬＣＤコントローラ１０ｃに依存する、ディスプレイ１０ｄの輝度調整を行う専用のアプリケーションである。
【００１５】
このような状態で、本体部５０のＯＳ標準アプリケーション６０は、ディスプレイ１０ｄの輝度調整に関する操作を受け付ける。（Ｓ１）。すると、専用アプリケーション６１は、ＯＳ標準アプリケーション６０経由で、調整された輝度情報を取得し（Ｓ２）、ディスプレイ部１０へ送信する（Ｓ３）。
【００１６】
そして、ディスプレイ部１０のマイコン１０ｂは、専用アプリケーション６１から輝度情報を受信すると、ＬＣＤコントローラ１０ｃに輝度情報を通知する（Ｓ４）。その後、ＬＣＤコントローラ１０ｃは、通知された輝度情報にしたがって、ディスプレイ１０ｄのバックライトを設定された輝度になるように制御する（Ｓ５）。
【００１７】
また、ディスプレイ部１０のマイコン１０ｂは、ディスプレイ部１０の輝度調整ボタンなどの操作を直接受け付けると（Ｓ１０）、調整された輝度情報をＬＣＤコントローラ１０ｃに通知する（Ｓ１１）。その後、ＬＣＤコントローラ１０ｃは、通知された輝度情報にしたがって、ディスプレイ１０ｄのバックライトを設定された輝度になるように制御する（Ｓ１２）。
【００１８】
このようにすることで、情報処理装置１は、ＯＳが提供するＡＰＩを用いるＯＳ標準アプリケーション６０で輝度調整が行われた場合でも、専用アプリケーション６１を用いたときと同様に、ディスプレイ１０ｄの輝度調整を実行することができる。したがって、分離型ＰＣの輝度調整に関するユーザの利便性を向上させることができる。
【００１９】
［機能構成］
図２は、実施例１にかかる情報処理装置１の機能構成を示す機能ブロック図である。ここでは、ディスプレイ部１０と本体部５０とのそれぞれについて説明する。
【００２０】
（ディスプレイ部１０の機能構成）
図２に示すように、ディスプレイ部１０は、接続部１１、表示部１２、表示制御部１３、制御部２０を有する。
【００２１】
接続部１１は、ディスプレイ部１０と本体部５０とを接続する処理部であり、例えば通信インタフェースである。例えば、接続部１１は、本体部５０から輝度情報や映像信号を受信し、本体部５０に輝度情報を送信する。
【００２２】
表示部１２は、バックライトを有し、各種情報を表示するディスプレイやタッチパネルなどである。また、表示部１２は、本体部５０から入力された映像信号を表示して、画像や動画などを表示する。
【００２３】
表示制御部１３は、映像信号と輝度情報との切替を実行する処理部であり、例えばＬＣＤコントローラ１０ｃなどである。例えば、表示制御部１３は、本体部５０から入力された映像信号を表示部１２に入力して、画像や動画などを表示させる。また、表示制御部１３は、本体部５０から入力された輝度情報等にしたがって、表示部１２のバックライトを調整して、輝度調整を実行する。
【００２４】
制御部２０は、ディスプレイ部１０全体を司る処理部であり、例えばマイコン１０ｂなどである。この制御部２０は、操作部２１と遠隔操作部２４とを有する。なお、操作部２１と遠隔操作部２４は、マイコン１０ｂなどの電子回路の一例やマイコン１０ｂなどが実行するプロセスの一例である。また、制御部２０は、表示部１２に設定される輝度情報であって、操作部２１や遠隔操作部２４によって更新される輝度情報を保持する。
【００２５】
操作部２１は、ユーザによるディスプレイ部１０の直接操作を受け付けて、表示部１２の輝度調整を実行する処理部である。操作部２１は、受付部２２と本体通知部２３とを有する。
【００２６】
受付部２２は、ユーザによる表示部１２の輝度調整を受け付ける処理部である。例えば、受付部２２は、ディスプレイ部１０に設置される輝度調整ボタンなどの操作によって、輝度調整を受け付ける。そして、受付部２２は、受け付けた輝度調整の操作から、設定された輝度情報を特定する。その後、受付部２２は、制御部２０が保持する輝度情報を更新するとともに、輝度情報を表示制御部１３に通知して輝度調整を実行させる。さらに、受付部２２は、特定された輝度情報を本体通知部２３に出力する。なお、ここでの輝度情報は、例えば０から１００の１０１段階で示される輝度値である。
【００２７】
本体通知部２３は、変更された輝度情報を本体部５０に通知する処理部である。具体的には、本体通知部２３は、受付部２２から入力された輝度情報を本体部５０に通知する。すなわち、本体通知部２３は、ユーザがディスプレイ部１０を直接操作して調整した輝度情報を本体部５０に通知する。
【００２８】
遠隔操作部２４は、受信部２５と変更部２６を有し、ディスプレイ部１０と離れた位置にある本体部５０による輝度調整を実行する処理部である。
【００２９】
受信部２５は、本体部５０から輝度情報を受信する処理部である。具体的には、受信部２５は、ユーザが本体部５０を操作して調整した輝度情報を本体部５０から受信し、受信した輝度情報を変更部２６に出力する。
【００３０】
変更部２６は、本体部５０から通知された輝度情報を用いた輝度調整を実行する処理部である。具体的には、変更部２６は、受信部２５から輝度情報が入力されると、制御部２０が保持する輝度情報を更新する。さらに、変更部２６は、当該輝度情報を表示制御部１３に出力して、輝度の変更を要求する。
【００３１】
［本体部５０の機能構成］
図２に示すように、本体部５０は、接続部５１、記憶部５２、制御部５３を有する。接続部５１は、ディスプレイ部１０と本体部５０とを接続する処理部であり、例えば通信インタフェースである。例えば、接続部５１は、ディスプレイ部１０へ輝度情報や映像信号を送信し、ディスプレイ部１０から輝度情報を受信する。
【００３２】
記憶部５２は、ディスプレイ部１０の表示部１２に設定される輝度情報などを記憶する記憶装置の一例であり、例えばハードディスクやメモリなどである。また、記憶部５２は、制御部５３が実行するプログラムやデータなどを記憶する。
【００３３】
制御部５３は、ＯＳなど実行し、本体部５０全体の処理を司る処理部であり、例えばプロセッサなどである。この制御部５３は、標準アプリ実行部５４と専用アプリ実行部５５とを有する。なお、標準アプリ実行部５４と専用アプリ実行部５５は、プロセッサなどの電子回路の一例やプロセッサが実行するプロセスの一例である。
【００３４】
この制御部５３は、ＢＩＯＳ（Basic Input Output System）に輝度制御（輝度調整）に関するＡＣＰＩメソッドを実装して、輝度調整するＯＳのＡＰＩに対応するディスプレイ部１０が接続されているかのようにＯＳに見せかけて、ＯＳ標準アプリケーション６０を用いた輝度調整を実現する。
【００３５】
標準アプリ実行部５４は、ＯＳの機能を用いた表示部１２の輝度調整を実行する処理部である。すなわち、標準アプリ実行部５４は、上述したＯＳ標準アプリケーション６０を実行する。例えば、標準アプリ実行部５４は、ＯＳ標準アプリケーション６０によって提供される輝度調整画面などを介して、ユーザの輝度調整に関する操作を受け付ける。そして、標準アプリ実行部５４は、ユーザが設定した輝度情報をＯＳが管理する所定領域等に格納する。なお、この所定領域は、本体部５０がディスプレイ部１０に設定される輝度情報を管理する領域であり、アプリ内やメモリ上等に設けることができる。
【００３６】
専用アプリ実行部５５は、検出部５６と更新通知部５７と更新受信部５８とを有し、本体部５０で操作された輝度調整をディスプレイ部１０に通知して、表示部１２の輝度調整を実行する処理部である。すなわち、専用アプリ実行部５５は、上述した専用アプリケーション６１を実行する。なお、検出部５６と更新通知部５７と更新受信部５８は、専用アプリケーション６１の機能として実装することができる。
【００３７】
検出部５６は、標準アプリ実行部５４による輝度調整を検出する処理部である。具体的には、検出部５６は、ＯＳ標準アプリケーション６０を用いた輝度調整の実行を検出する。例えば、検出部５６は、上記ＯＳが管理する所定領域等を監視し、当該所定領域に輝度情報（輝度値）が書き込まれたことを検出すると、当該輝度情報を読み出して更新通知部５７に出力する。
【００３８】
なお、検出方法は様々な方法を採用することができる。例えば、検出部５６は、標準アプリ実行部５４、言い換えるとＯＳ標準アプリケーション６０から、ユーザが設定した輝度情報を受信することで、輝度調整の実行を検出することもできる。
【００３９】
また、検出部５６は、標準アプリ実行部５４から輝度情報を受信すると、上記ＯＳが管理する所定領域等から輝度情報を読み出す。そして、検出部５６は、受信した輝度情報と読み出した輝度情報とが一致する場合に、輝度調整の実行を検出することもできる。
【００４０】
更新通知部５７は、検出部５６から入力された輝度情報をディスプレイ部１０に通知する処理部である。具体的には、更新通知部５７は、ＯＳ標準アプリケーション６０で設定された輝度情報を、専用アプリケーション６１で設定された輝度情報としてディスプレイ部１０に送信する。
【００４１】
なお、ディスプレイ部１０は、ＯＳ標準アプリケーション６０には対応していないが専用アプリケーション６１には対応しているので、本体部５０との間で通信に関する取り決めが決定されている。このため、ディスプレイ部１０は、専用アプリケーション６１に対応する専用アプリ実行部５５の更新通知部５７から送信される輝度情報を含む信号を受信して、信号内の輝度情報を読み取ることができる。なお、取り決めの一例としては、識別子、信号種別、通信プロトコルなどがある。
【００４２】
更新受信部５８は、ディスプレイ部１０から輝度情報を受信して、上記ＯＳが管理する所定領域等に書き込む処理部である。つまり、更新受信部５８は、ディスプレイ部１０を直接操作して輝度調整が行われた場合に、変更された輝度情報をディスプレイ部１０から受信し、標準アプリ実行部５５言い換えるとＯＳ標準アプリケーション６０に通知する。
【００４３】
このようにすることで、ＯＳ標準アプリケーション６０による輝度調整と見せかけて、実質的に専用アプリケーション６１で輝度調整が行われる状態で、ディスプレイ部１０で従来通りに輝度調整が行われた場合でも、ディスプレイ部１０と本体部５０とで管理する輝度情報（輝度値）の整合性を維持できる。
【００４４】
［具体例］
次に、従来の一般的なＰＣの輝度調整の具体例と、実施例１にかかる輝度調整の具体例とをそれぞれ説明して、処理の違いを比較する。ここでは、ディスプレイを含むハードウェア、ＢＩＯＳを動作させるファームウェア、ＯＳ標準アプリケーション６０を提供するＯＳ、専用アプリケーション６１を実行するアプリケーションの階層構造を用いて説明する。
【００４５】
（一般的なＰＣの輝度調整）
図３は、一般的なＰＣのＯＳ標準アプリを用いた輝度調整を説明する図である。図３の例は、一体型ＰＣを想定した具体例である。図３に示すように、ＯＳ標準アプリは、輝度変更の操作を受け付けて、輝度値の設定変更を受け付ける。そして、ＢＩＯＳは、設定変更された輝度値にしたがって、ディスプレイの輝度調整を実行する。このように、一般的な一体型ＰＣでは、ＯＳで提供されるＯＳ標準アプリを用いた輝度調整が実行される。
【００４６】
図４は、一般的なＰＣの専用アプリを用いた輝度調整を説明する図である。図４の例は、分離型ＰＣを想定した具体例である。図４に示すように、専用アプリは、輝度変更の操作を受け付けて、輝度値の設定変更を受け付ける。そして、専用アプリは、設定変更された輝度値を外部ディスプレイに通知して、外部ディスプレイの輝度調整を実行する。
【００４７】
また、外部ディスプレイのボタン操作等により輝度変更の操作が受け付けられると、専用アプリは、外部ディスプレイで受け付けられた輝度変更の操作にしたがって、ディスプレイの輝度値を変更して輝度調整を実行する。このように、一般的な分離型ＰＣでは、専用アプリを用いた輝度調整が実行され、ＯＳ標準アプリは使用されない。
【００４８】
（実施例１の輝度調整）
図５は、実施例１の輝度調整を説明する図である。図５に示すように、ＯＳ標準アプリは、輝度変更の操作を受け付けて、輝度値の設定変更を受け付ける。そして、ＯＳ標準アプリは、ＢＩＯＳに輝度変更を指示するが、ＢＩＯＳは、ディスプレイと接続されていないことから、輝度調整を実行しない。一方で、専用アプリは、ＯＳ標準アプリを用いて設定された輝度値を取得してディスプレイ部１０に通知し、ディスプレイ部１０の輝度調整を実行する。
【００４９】
また、ディスプレイ部１０側で輝度変更の操作が受け付けられて輝度値が設定されると、ディスプレイ部１０は、変更された輝度値を本体部５０の専用アプリに送信する。その後、専用アプリは、ディスプレイ部１０から受信した輝度値をＯＳ標準アプリに通知する。
【００５０】
このように、実施例１にかかる輝度調整では、ユーザはＯＳ標準アプリを用いた輝度調整を実行するが、バックグラウンドで、専用アプリが輝度調整を実行する。つまり、本体部５０は、ユーザには、ＯＳ標準アプリに対応するディスプレイが接続されたように見せかけて、ＯＳ標準アプリで輝度値の設定を受け付ける。そして、本体部５０は、ＯＳ標準アプリで設定された輝度値を読み取り、ディスプレイ部１０と双方向にやり取りすることによって、ディスプレイ部１０側と本体部５０側のＯＳ標準機能の両方から輝度調整が実現する。
【００５１】
［処理の流れ］
次に、実施例１にかかる情報処理装置１における輝度調整の処理について説明する。ここでは、本体部５０からの輝度調整と、ディスプレイ部１０部からの輝度調整について説明する。
【００５２】
（本体部５０からの輝度調整）
図６は、実施例１にかかる本体部５０からの輝度調整の処理の流れを示すシーケンス図である。図６に示すように、本体部５０の標準アプリ実行部５４は、ユーザから輝度調整の操作を受け付ける（Ｓ１０１）。
【００５３】
すると、本体部５０の検出部５６は、ＯＳ標準アプリによる輝度調整を検出し（Ｓ１０２）、更新通知部５７は、輝度調整によって設定変更された輝度情報をディスプレイ部１０に通知する（Ｓ１０３とＳ１０４）。
【００５４】
そして、ディスプレイ部１０の受信部２５は、本体部５０から輝度情報を受信し（Ｓ１０５）、変更部２６は、受信された輝度情報を表示制御部１３に通知して輝度調整を実行する（Ｓ１０６）。
【００５５】
（ディスプレイ部１０からの輝度調整）
図７は、実施例１にかかるディスプレイ部１０からの輝度調整の処理の流れを示すシーケンス図である。図７に示すように、ディスプレイ部１０の受付部２２は、ユーザから輝度調整の操作を受け付けると（Ｓ２０１）、設定変更された輝度情報を表示制御部１３に通知して輝度調整を実行する（Ｓ２０２）。続いて、本体通知部２３は、設定変更された輝度情報を本体部５０に通知する（Ｓ２０３とＳ２０４）。
【００５６】
そして、本体部５０の更新受信部５８は、輝度情報をディスプレイ部１０から受信し（Ｓ２０５）、受信した輝度情報をＯＳやＯＳ標準アプリに通知する（Ｓ２０６）。
【００５７】
［効果］
上述したように、情報処理装置１の本体部５０に、輝度調整するＡＰＩに対応していないディスプレイ部１０が接続されている場合でも、ＯＳ標準アプリからディスプレイ部１０の輝度調整を行うことができる。また、ＯＳ標準アプリで輝度調整が実行できるので、装置ごとの操作方法の違いがなくなり、ユーザの利便性が向上する。また、情報処理装置１は、ボタンやリモコン等といった外部からディスプレイ部１０への輝度変更にも同時に対応できることで、多様な輝度調整手法も実施できる。
【実施例２】
【００５８】
さて、これまで本発明の実施例について説明したが、本発明は上述した実施例以外にも、種々の異なる形態にて実施されてよいものである。そこで、以下に異なる実施例を説明する。
【００５９】
［同期］
例えば、ディスプレイ部１０と本体部５０との間で電源が切れるタイミングが異なる場合、互いに記憶する輝度値が異なる場合がある。この場合、本体部５０が記憶する輝度値に同期する。例えば、本体部５０が停止しているときにディスプレイ部１０で輝度値が変更された際、ディスプレイ部１０がディスプレイ側で設定された輝度値を本体部５０に通知できない。このような状態では、本体部５０の電源が投入されたときに、本体部５０が保持する輝度値をディスプレイ部１０に通知して、ディスプレイ部１０が保持する輝度値を書き換える。このようにして、本体部５０の電源投入時に、ディスプレイ部１０と本体部５０との間で、輝度値の同期を実行する。
【００６０】
［輝度情報］
上記実施例では、ディスプレイ部１０と本体部５０ともに、１から１００の輝度値を用いる例を説明したが、これに限定されるものではなく、ディスプレイ部１０と本体部５０との間で、輝度値の制御が異なっていても同様に輝度調整を実行できる。例えば、ディスプレイ部１０が１から１００の輝度値を用い、本体部５０が１から１０の１０段階の輝度値を用いる場合であっても、他方の輝度値に変換して送信することで、輝度調整を実行できる。
【００６１】
［アプリケーションへの通知］
上記実施例では、ディスプレイ部１０側から輝度情報を受信した場合、本体部５０はＯＳの所定領域に当該輝度情報を設定する例を説明したが、これに限定されるものではなく、アプリの仕様等によって手法を変更することができる。例えば、本体部５０はＯＳ標準アプリに通知して、ＯＳ標準アプリが輝度情報を保持してもよい。
【００６２】
［ハードウェア構成］
図８は、情報処理装置１のハードウェア構成例を示す図である。図８に示すように、ディスプレイ部１０は、接続インタフェース１０ａ、マイコン１０ｂ、ＬＣＤコントローラ１０ｃ、表示部１０ｄを有する。本体部５０は、接続インタフェース５０ａ、ＨＤＤ（Hard  Disk  Drive）５０ｂ、メモリ５０ｃ、プロセッサ５０ｄを有する。
【００６３】
接続インタフェース１０ａは、本体部５０との通信を制御する有線インタフェースやネットワークインタフェースカードなどである。マイコン１０ｂは、操作部２１と遠隔操作部２４と同様の機能を実行するプログラムを実行して、操作部２１と遠隔操作部２４と同様の機能を実行するプロセスを動作させる。
【００６４】
ＬＣＤコントローラ１０ｃは、映像信号と輝度情報との切替を行う電子回路である。表示部１０ｄは、上記ディスプレイ１０ｄであり、ＬＣＤやタッチパネルなどである。
【００６５】
接続インタフェース５０ａは、ディスプレイ部１０との通信を制御する有線インタフェースやネットワークインタフェースカードなどである。ＨＤＤ５０ｂは、プログラムやデータなどを記憶する記憶装置の一例である。
【００６６】
メモリ５０ｃの一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。プロセッサ５０ｄの一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【００６７】
また、プロセッサ５０ｄは、プログラムを読み出して実行することで輝度調整方法を実行する情報処理装置として動作する。つまり、プロセッサ５０ｄは、標準アプリ実行部５４と専用アプリ実行部５５と同様の機能を実行するプログラムを実行する。この結果、プロセッサ５０ｄは、標準アプリ実行部５４と専用アプリ実行部５５と同様の機能を実行するプロセスを実行することができる。なお、この他の実施例でいうプログラムは、本体部５０によって実行されることに限定されるものではない。例えば、他のコンピュータまたはサーバがプログラムを実行する場合や、これらが協働してプログラムを実行するような場合にも、本発明を同様に適用することができる。
【００６８】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【００６９】
［システム］
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７０】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００７１】
１  情報処理装置
１０  ディスプレイ部
１１  接続部
１２  表示部
１３  表示制御部
２０  制御部
２１  操作部
２２  受付部
２３  本体通知部
２４  遠隔操作部
２５  受信部
２６  変更部
５０  本体部
５１  接続部
５２  記憶部
５３  制御部
５４  標準アプリ実行部
５５  専用アプリ実行部
５６  検出部
５７  更新通知部
５８  更新受信部
【図１】
2018067061.tif 000003
【図２】
2018067061.tif 000004
【図３】
2018067061.tif 000005
【図４】
2018067061.tif 000006
【図５】
2018067061.tif 000007
【図６】
2018067061.tif 000008
【図７】
2018067061.tif 000009
【図８】
2018067061.tif 000010